【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
マルチバンド直接変換ワイヤレス通信装置において、妨害波の漏れを抑制するための方法であって、方法が、
ＲＦ信号を受信するように構成された受信機であって、低雑音増幅器（low noise amplifier, LNA）、入力および出力を備えたミクサー、および局部発振器（local oscillator, LO）を含む受信機を用意することと、
受信機によって検出された妨害波のレベルに依存して、ＬＯの駆動レベルを調節することとを含み、
ＬＯの駆動レベルを調節することが、
ベースバンド信号の信号電力を測定することと、
受信したＲＦ信号の電力を測定することと、
ベースバンド信号の信号電力と、受信したＲＦ信号の電力とを比較することと、
比較に基づいて、ＬＯの設定点を調節することとを含む方法。
【請求項２】
駆動レベルを調節することが、妨害波のレベルが上がるときに、ＬＯの駆動レベルを上げることを含む請求項１記載の方法。
【請求項３】
ＬＯの駆動レベルをステップアップする請求項２記載の方法。
【請求項４】
ダウンコンバートされたベースバンド信号からＤＣのオフセットを取り除くことをさらに含む請求項１記載の方法。
【請求項５】
ＤＣのオフセットを取り除くことが、アナログＤＣ消去ループを用意することを含む請求項４記載の方法。
【請求項６】
ＤＣのオフセットを取り除くことが、ディジタルＤＣ消去モジュールを用意することを含む請求項４記載の方法。
【請求項７】
ディジタル自動利得制御（automatic gain control, AGC）機構を介して、受信機の復調器へ入力されたベースバンド信号の電力を制御することをさらに含む請求項１記載の方法。
【請求項８】
マルチバンド直接変換ワイヤレス通信装置において、妨害波の漏れを抑制するための方法であって、方法が、
ＲＦ信号を受信するように構成された受信機であって、低雑音増幅器（ＬＮＡ）、入力および出力を備えたミクサー、および局部発振器（ＬＯ）を含む受信機を用意することと、
受信機によって検出された妨害波のレベルに依存して、ＬＯの駆動レベルを調節することとを含み、
ＬＯの駆動レベルを調節することが、
ベースバンド信号の信号電力を測定することと、
受信したＲＦ信号の電力を測定することと、
ベースバンド信号の信号電力と、受信したＲＦ信号の電力とを比較することと、
比較に基づいて、ＬＯの設定点を調節することとを含み、
ベースバンド信号の測定された信号電力に基づいて、ＬＮＡおよびミクサーの利得を調節することをさらに含む方法。
【請求項９】
マルチバンド直接変換ワイヤレス通信装置において、妨害波の漏れを抑制するための方法であって、方法が、
ＲＦ信号を受信するように構成された受信機であって、低雑音増幅器（ＬＮＡ）、入力および出力を備えたミクサー、および局部発振器（ＬＯ）を含む受信機を用意することと、
受信機によって検出された妨害波のレベルに依存して、ＬＯの駆動レベルを調節することとを含み、
ＬＯの駆動レベルを調節することが、
ベースバンド信号の信号電力を測定することと、
受信したＲＦ信号の電力を測定することと、
ベースバンド信号の信号電力と、受信したＲＦ信号の電力とを比較することと、
比較に基づいて、ＬＯの設定点を調節することとを含み、
ベースバンド信号の測定された信号電力に基づいて、ＬＮＡおよびミクサーの利得を調節することをさらに含み、
ＬＮＡおよびミクサーの利得を調節することが、受信したＲＦ信号の信号電力が増加するときに、利得を低減することを含む方法。
【請求項１０】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含むシステム。
【請求項１１】
調節機構が制御信号をＬＯへ送り、制御信号がＬＯの設定点を調節する請求項１０記載のシステム。
【請求項１２】
ＬＯおよび第２のミクサーの入力に接続されたバッファ増幅器をさらに含み、調節機構が、バッファ増幅器の利得を調節して、ＬＯの駆動レベルを調節する請求項１０記載のシステム。
【請求項１３】
調節機構が、受信したＲＦ信号の信号レベルが上がるときに、ＬＮＡおよびミクサーの利得を調節するようにも構成されている請求項１０記載のシステム。
【請求項１４】
受信機が、差動ＲＦおよびＬＯの信号経路を取入れる請求項１０記載のシステム。
【請求項１５】
ダウンコンバートされたベースバンド信号からＤＣのオフセットを取り除くように構成されたＤＣ消去機構をさらに含む請求項１０記載のシステム。
【請求項１６】
ＤＣ消去機構が、アナログＤＣ消去ループを含む請求項１５記載のシステム。
【請求項１７】
ＤＣ消去機構が、ダウンコンバートされたベースバンド信号からＤＣのオフセットを減算するように構成されたディジタルＤＣ消去モジュールを含む請求項１５記載のシステム。
【請求項１８】
ＦＭ変調されたディジタルベースバンド信号から、周波数のオフセットを取り除くように構成された復調器をさらに含む請求項１０記載のシステム。
【請求項１９】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含み、
第１の測定機構が、
受信したＲＦ信号の電力を表わすアナログ信号を出力するように構成されたＲＦ電力検出器と、
出力と、ＲＦ電力検出器の出力に接続された入力とを備えたアナログ−対−ディジタルコンバータ（analog-to-digital converter, ADC）と、
ＡＤＣの出力に接続された第１の入力と、オフセット信号に接続された第２の入力とを備えた加算器であって、受信したＲＦ信号の合計電力を表わす出力信号を生成するように構成された加算器とを含むシステム。
【請求項２０】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含み、
第２の測定機構が、
ベースバンド信号の瞬間電力を判断するように構成された計算器と、
計算器に接続された入力を備えた積分器であって、ベースバンド信号の平均信号電力を判断して、自動利得制御（ＡＧＣ）信号を出力する積分器と、
ＡＧＣ信号の対数の冪の表現と、ＬＮＡおよびミクサーの利得に対する調節を明らかにするＲＦのオフセットとを加算するように構成され、かつベースバンド信号の信号電力を出力するように構成された加算器とを含むシステム。
【請求項２１】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含み、
第２の測定機構が、
ベースバンド信号の瞬間電力を判断するように構成された計算器と、
計算器に接続された入力を備えた積分器であって、ベースバンド信号の平均信号電力を判断して、自動利得制御（ＡＧＣ）信号を出力する積分器と、
ＡＧＣ信号の対数の冪の表現と、ＬＮＡおよびミクサーの利得に対する調節を明らかにするＲＦのオフセットとを加算するように構成され、かつベースバンド信号の信号電力を出力するように構成された加算器とを含み、
計算器が、受信機のＩチャンネルの信号レベルを二乗するように構成された乗算器を含むシステム。
【請求項２２】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含み、
第２の測定機構が、
ベースバンド信号の瞬間電力を判断するように構成された計算器と、
計算器に接続された入力を備えた積分器であって、ベースバンド信号の平均信号電力を判断して、自動利得制御（ＡＧＣ）信号を出力する積分器と、
ＡＧＣ信号の対数の冪の表現と、ＬＮＡおよびミクサーの利得に対する調節を明らかにするＲＦのオフセットとを加算するように構成され、かつベースバンド信号の信号電力を出力するように構成された加算器とを含み、
計算器が、受信機のＩチャンネルの信号レベルと関係付けられた瞬間電力値を含んでいるルックアップテーブルを含むシステム。
【請求項２３】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
調節機構が、
受信したＲＦ信号の合計電力を測定するように構成された第１の測定機構と、
ベースバンド信号の信号電力を測定するように構成された第２の測定機構と、
受信したＲＦ信号の合計電力と、ベースバンド信号の信号電力とを比較するように構成された比較機構と、
比較に基づいて、ＬＯの設定点を調節するように構成された調節器とを含み、
比較機構が、ベースバンド信号の信号電力から、受信したＲＦ信号の合計電力を減算するシステム。
【請求項２４】
マルチバンド直接変換ワイヤレス通信受信機において、妨害波の漏れを抑制するためのシステムであって、システムが、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
受信機によって検出された妨害波のレベルに依存して、ＬＯの駆動レベルを調節するように構成された調節機構とを含み、
ダウンコンバートされたベースバンド信号からＤＣのオフセットを取り除くように構成されたＤＣ消去機構をさらに含み、
ＤＣ消去機構が、ダウンコンバートされたベースバンド信号からＤＣのオフセットを減算するように構成されたディジタルＤＣ消去モジュールを含み、
ディジタルＤＣ消去モジュールが、積分率の異なる高速および低速モードで動作するように構成されたシステム。
【請求項２５】
マルチバンド直接変換ワイヤレス通信装置のダイナミックレンジを最適化するための方法であって、
ＲＦ信号を受信するように構成された受信機であって、低雑音増幅器（ＬＮＡ）、入力および出力を備えたミクサー、局部発振器（ＬＯ）、およびベースバンド部を含む受信機を用意することと、
受信したＲＦ信号のレベルに依存して、ＬＮＡおよびミクサーの利得を調節することと、
受信機によって検出された妨害波のレベルに依存して、ＬＯの駆動レベルを調節することとを含む方法。
【請求項２６】
受信機のベースバンド部において、ディジタル信号のビット幅を調節することをさらに含む請求項２５記載の方法。
【請求項２７】
ビット幅を調節することが、受信したＲＦ信号の信号電力が強いときに、ディジタルのベースバンド信号のビットを切り捨てることを含む請求項２６記載の方法。
【請求項２８】
ビット幅を調節することが、受信機のベースバンド部において、アナログ−対−ディジタルコンバータ（ＡＤＣ）の分解能を調節することを含む請求項２６記載の方法。
【請求項２９】
ビット幅を調節することが、受信機のベースバンド部において、ディジタルフィルタの分解能を調節することを含む請求項２６記載の方法。
【請求項３０】
受信機のベースバンド部において、ＡＤＣのサンプルレートを調節することをさらに含む請求項２５記載の方法。
【請求項３１】
用意するステップが、ベースバンド増幅器を含むベースバンド部を用意することを含む請求項２５記載の方法。
【請求項３２】
受信機の部品間の変化および動作バンドの周波数の一方に基づいて、ベースバンド増幅器の利得を調節することをさらに含む請求項３１記載の方法。
【請求項３３】
ベースバンド増幅器の利得が、６デシベルの範囲で調節される請求項３２記載の方法。
【請求項３４】
用意するステップが、ベースバンドアナログフィルタを含むベースバンド部を用意することを含む請求項２５記載の方法。
【請求項３５】
マルチバンド直接変換ワイヤレス通信受信機において、ダイナミックレンジを最適化するためのシステムであって、
受信したＲＦ信号を増幅するように構成された低雑音増幅器（ＬＮＡ）と、
周波数を出力するように構成された局部発振器（ＬＯ）と、
ＬＮＡに動作的に接続された第１の入力、ＬＯの出力に動作的に接続された第２の入力、および出力を備えたミクサーと、
ミクサーの出力に接続されたベースバンド部と、
受信したＲＦ信号のレベルに依存してＬＮＡおよびミクサーの利得を調節し、受信機によって検出された妨害波のレベルに依存してＬＯの駆動レベルを調節するように構成された調節機構とを含むシステム。
【請求項３６】
調節機構が、受信機のベースバンド部において、ディジタル信号のビット幅を調節するようにも構成されている請求項３５記載のシステム。
【請求項３７】
調節機構が、受信したＲＦ信号の信号電力が強いときに、ディジタルのベースバンド信号のビットを切り捨てるように構成されている請求項３６記載のシステム。
【請求項３８】
調節機構が、受信機のベースバンド部において、アナログ−対−ディジタルコンバータ（ＡＤＣ）の分解能を調節するように構成されている請求項３６記載のシステム。
【請求項３９】
調節機構には、受信機のベースバンド部において、ディジタルフィルタの分解能を調節するように構成されている請求項３６記載のシステム。
【請求項４０】
調節機構が、受信機のベースバンド部において、ＡＤＣのサンプルレートを調節するように構成されている請求項３５記載のシステム。
【請求項４１】
ベースバンド部が、ベーズバンド増幅器を含む請求項３５記載のシステム。
【請求項４２】
調節機構が、受信機の部品間の変化および動作バンドの周波数の一方に基づいて、ベースバンド増幅器の利得を調節するように構成されている請求項４１記載のシステム。
【請求項４３】
ベースバンド増幅器が、６デシベルの範囲で調節されるように構成されている請求項４２記載のシステム。
【請求項４４】
ベースバンド増幅器が、ディジタル−対−アナログ（digital-to-analog, DAC）の電圧または電流の調節で調節されるように構成されている請求項４２記載のシステム。
【請求項４５】
ベースバンド部が、ベースバンドアナログフィルタを含む請求項３５記載のシステム。